(57)【要約】【課題】枕の形状を首の後部に沿いやすいものとし、枕の形状を後頭部に沿った状態に維持する。【解決手段】平面視略方形の枕袋１１の四辺を、それぞれ内向きに湾曲するように形成する。枕１０の外縁が首の後部に対応して湾曲しているため、首の後部が沿いやすく頚椎の圧迫が防止される。枕袋１１の長手方向の中程を並列して縦断する縫合線１３により、枕を中央部１４と両側部１５に区画する。中央部１４の高さが両側部１５よりも低くなるように充填材１２の充填量を調節する。縫合線１３が外向きに湾曲しているため、中央部１４の充填材１２が広がりやすく、中央部１４は低いままである。両側部１５内の充填材１４は、外向きに湾曲する縫合線１３と枕袋１１の内向きに湾曲する辺とに圧迫されるため、両側部１５は高いままである。そのため、中央部１４の高さが低く、両側部１５の高さが高い後頭部に沿った状態が維持される。【選択図】図１
0003146718.tif 000002
【実用新案登録請求の範囲】
【請求項１】
表布と裏布の外縁を縫い合わせることで形成された平面視略方形の枕袋１１と、
この枕袋１１内に充填された充填材１２と、を備える枕１０であって、
前記平面視略方形の枕袋１１の四辺は、それぞれ内向きに湾曲していることを特徴とする枕。
【請求項２】
前記表布と裏布の長手方向の中程が、それぞれ外向きに湾曲して並列する縫合線１３で縫い合わされることにより、枕袋１１は、前記並列する縫合線１３間の中央部１４と、前記縫合線１３よりも外側の両側部１５とに区画され、
この中央部１４と両側部１５にそれぞれ充填される充填材１２を、中央部１４の最大高さが両側部１５の最大高さよりも低くなるように調整した請求項1に記載の枕。
【請求項３】
請求項１または２に記載の枕１０と、
この枕１０が挿入される、平面視が枕１０と略相似形で寸法がやや小さい袋状の枕カバー１６と、を備えるカバー付き枕。
【考案の詳細な説明】
【技術分野】
【０００１】
この考案は、後頭部から首の後部にかけて沿いやすい形状の枕に関する。
【背景技術】
【０００２】
寝心地をよくするため、後頭部の形状に沿いやすいように工夫された種々の枕が市販されている。
たとえば特許文献1には、図４に示すような枕２０が開示されている。
【０００３】
図示のように、この枕２０の枕袋２１は、相似形方形の表布と裏布の外縁を縫い合わせ、かつ表布と裏布の長手方向の中程を縦断する、内向きに湾曲する線対称形の２つの円弧形の縫合線２２で縫い合わせることで作製されている。
【０００４】
そして、円弧形の縫合線２２間に形成される袋状の中央部２３と、各縫合線２２よりも外側に形成される袋状の両側部２４には、それぞれ充填材が充填されており、中央部２３が両側部２４よりも高さが低くなるように調節されている。
ちなみに、両側部２４それぞれの中程には、ジグザグに走る縫合線２５が形成されているが、これについては詳しい説明は省略する。
【０００５】
この枕２０の形状は、中央部２３を両側部２４よりも低くすることで、後頭部の形状に沿わせることを企図していると考えられ、その点に関しては、ある程度の目的は達せられている。
しかし、以下のような２つの課題を有する。
【０００６】
第一の課題は、枕袋２１が相似形方形の表布と裏布の外縁を縫い合わせることで平面視方形に形成されていることに起因する。
【０００７】
すなわち、枕２０の外縁が直線状であるのに対し、この外縁上に載せる首の後部（うなじ）は湾曲しているため、寝た際に枕２０の外縁が首の後部に沿わず、頚椎に負担がかかるのが第一の課題である。
【０００８】
第二の課題は、枕袋２１の中程にある円弧形の縫合線２２が内向きに湾曲しているため、両側部２４の中の充填材が内側に向かって偏りやすいことに起因する。
【０００９】
すなわち、両側部２４の充填材が内向きに偏ることで、中央部２３はその両側から両側部２４内の充填材により圧迫され、中央部２３の高さが次第に高くなる。
したがって、使用しているうちに中央部２３と両側部２４との高さの差が漸減してゆき、次第に枕全体が平坦になって、後頭部の形状に沿わなくなってくるというのが第二の課題である。
【特許文献１】登録実用新案３１１２８６５号公報
【考案の開示】
【考案が解決しようとする課題】
【００１０】
そこで、この考案の解決すべき課題は、後頭部から首の後部にかけて沿いやすい形状の枕を提供することである。
【００１１】
より詳しくは、第一の解決すべき課題は、枕の形状を首の後部に沿いやすいものとすることであり、第二の解決すべき課題は、枕の形状を後頭部に沿った状態に維持することである。
【課題を解決するための手段】
【００１２】
上記した第一の課題を解決するため、表布と裏布の外縁を縫い合わせることで形成された平面視略方形の枕袋と、この枕袋の中に充填された充填材と、を備えた枕について、前記平面視略方形の枕袋の四辺を、それぞれ内向きに湾曲した形状としたのである。
【００１３】
枕袋の四辺、すなわち枕の外縁が内向きに湾曲しているため、この外縁上に載せる首の後部の湾曲に沿いやすく、頚椎が圧迫されることが防止される。
【００１４】
上記した第二の課題を解決するため、前記表布と裏布の長手方向の中程を、それぞれ外向きに湾曲して並列する縫合線で縫い合わせ、これにより枕袋を、前記並列する縫合線間の中央部と、縫合線よりも外側の両側部とに区画し、この中央部と両側部にそれぞれ充填される充填材を、中央部の最大高さが両側部の最大高さよりも低くなるように調整したのである。
【００１５】
枕袋の中程にある縫合線が外向きに湾曲しているため、中央部の充填材が外向きに広がりやすく、中央部の高さが低い状態が維持される。
その一方で、両側部の充填材は、この縫合線と枕袋の湾曲する外縁とに両側から圧迫されやすいため、寄せ上げられることで両側部の高さが高い状態も維持される。
したがって、中央部の高さが低く、両側部の高さが高い後頭部の形状に沿った状態がほぼ永続的に維持されることになる。
【００１６】
さらに、上記枕と、この枕が挿入される、平面視が枕と略相似形でやや寸法の小さな袋状の枕カバーと、を備える枕カバーとからカバー付き枕を構成するのが好ましい。
【００１７】
このようにすると、枕カバー内で枕が圧縮され、中央部と両側部とが接近してその間に縫合線が埋没する。
したがって、中央部と両側部の境界の段差が小さくなり、後頭部を載せた状態がより安定する。
【考案の効果】
【００１８】
上記構成を採用することで、枕が首の後部の形状に沿いやすくなり、また枕が後頭部の形状に沿った状態を長期間維持できるようになった。
【考案を実施するための最良の形態】
【００１９】
図１および図２に示す実施形態の枕１０は、表布と裏布の外縁を縫い合わせて形成される枕袋１１と、この枕袋１１に充填された充填材１２と、から構成される。
【００２０】
図示のように、枕袋１１の四辺は枕１０の内側に向けて湾曲する円弧形となっている。
また表布と裏布は、その長手方向の中程も並列する縫合線１３で縫い合わせられている。
この両縫合線１３は、枕１０の外側に向けて湾曲し、かつ枕袋１１を縦断している。
これにより、枕袋１１は縫合線１３間の中央部１４と、縫合線１３よりも外側の両側部１５とに区画される。
【００２１】
枕袋１１の中央部１４に充填される充填材１２としてはたとえば綿が選択され、両側部１５に充填される充填材１２としてはたとえば軟質合成樹脂でできた弾性パイプ材が選択される。
図1（ｂ）のように、これら充填材１２は、枕１０の中央部１４の高さ（最大高さ）が両側部１５の高さ（最大高さ）よりも低くなるように充填量が調整されている。
【００２２】
図３のように、この枕１０が入れられる枕カバー１６は、平面視が枕１０とほぼ相似形で、寸法がやや小さい袋体であって、その開口１６ａはスライドファスナーで開閉自在となっている。
したがって、枕カバー１６に枕を入れてカバー付き枕１を構成すると、図３（ａ）の矢印で示すように、枕１０は枕カバー１６内で圧縮されることになる。
ちなみに、図３（ａ）では一点鎖線で枕カバー１６に入れる前の枕１０を示している。
このように枕１０が圧縮されることで、図３（ｂ）に示すように、その中央部１４と両側部１５とが接近してその間に縫合線１３が埋没することになる。
【００２３】
実施形態のカバー付き枕１の構成は以上のようであり、このカバー付き枕１に頭を載せると、枕袋１１の四辺、すなわち枕１０の外縁が内向きに湾曲しているため、この外縁上に載せるうなじの湾曲に沿いやすく、頚椎が圧迫されることが防止される。
【００２４】
そして、枕１０の中央部１４が低く、その周りに相当する両側部１５が高いため、枕の形状が後頭部の湾曲に沿いやすく、寝心地がよい。
ここで中央部１４の充填材がクッション性の良好な綿であり、両側部１５の充填材が通気性のよい弾性パイプ材であると、さらに寝心地がよい。
【００２５】
さらに、枕袋１１の縫合線１３が中央部１４と両側部１５間に埋没しており、これにより中央部１４と両側部１５との段差が小さくなっているため、後頭部を載せた状態が安定する。
【００２６】
そして、枕袋１１の中程にある縫合線１３が外向きに湾曲しているため、中央部１４の充填材１２が外向きに広がりやすく、中央部１４の高さが低い状態が維持される。
その一方で、両側部１５の充填材１２は、この縫合線１３と枕袋１１の湾曲する外縁とに両側から圧迫されやすいため、寄せ上げられることで両側部１５の高さが高い状態も維持される。
したがって、中央部１４の高さが低く、両側部１５の高さが高い後頭部の形状に沿った状態がほぼ永続的に維持されることになる。
【００２７】
この実施形態では、縫合線１３は枕袋１１を縦断しているが、これに限定されず、外向きに湾曲する縫合線１３によって枕袋１１が中央部１４と両側部１５に区画されてさえいればよい。
たとえば縫合線１３は枕袋１１の中央に円環形に形成され、この円環内が中央部１４であり、円環外が両側部１５であってもよい。
また、枕袋１１の四辺の曲率、縫合線１３の曲率は特に図示したものに限定されないことは無論である。
【図面の簡単な説明】
【００２８】
【図１】（ａ）は実施形態の枕の斜視図、（ｂ）は（ａ）のｂ−ｂ断面図
【図２】（ａ）は実施形態の枕の平面図、（ｂ）は実施形態の枕の正面図、（ｃ）は実施形態の枕の側面図
【図３】（ａ）は実施形態のカバー付き枕の平面図、（ｂ）は（ａ）の断面図
【図４】従来の枕の斜視図
【符号の説明】
【００２９】
１  実施形態のカバー付き枕
１０  実施形態の枕
１１  枕袋
１２  充填材
１３  縫合線
１４  中央部
１５  両側部
１６  枕カバー
１６ａ  開口
２０  従来の枕
２１  枕袋
２２  縫合線
２３  中央部
２４  両側部
２５  縫合線
【図１】
0003146718.tif 000003
【図２】
0003146718.tif 000004
【図３】
0003146718.tif 000005
【図４】
0003146718.tif 000006